(57)【要約】  【課題】  冷媒ループを有する冷却システムで使用するための一体化されたユニットであって、高圧冷媒がループの一部を貫いて流動してシステムから熱を排除し、低圧冷媒がループの他の部分を貫いて流動してシステムに熱を吸収させる、冷却システムで使用するための一体化されたユニットを提供することである。  【解決手段】  一体型のサクションライン熱交換器及びサクションラインアキュムレータユニット１０のハウジング１２が、一端側のキャップ１４と、キャップ１４とは反対の端部側のリザーバキャップ１６とを連結し、ユニット１０内に、低圧冷媒を受け、受けた低圧冷媒を液相と蒸気相とに分離する収集リザーバ１７を包囲する。低圧導管１８が、ハウジング１２内の低圧冷媒の流れを低圧冷媒入口ポート２２を通して矢印２０の方向に送る。低圧冷媒はキャップ１４内の低圧冷媒出口ポート２５を通して矢印２６で示される方向でユニット１０を出る。キャップ１４は低圧冷媒をチャンバ１７の方向に送る低圧冷媒入口ポート２７も有する。【選択図】  図１
2004156896.tif 000002
【特許請求の範囲】
【請求項１】
冷媒ループを有する冷却システムにおける一体型のユニットであって、
冷媒ループの一部分を通して、冷却システムから熱を除去する高圧の冷媒が流動し、冷媒ループの他の部分を通して、冷却システムに熱を吸収する低圧の冷媒が流動し、
冷媒用の収集リザーバを有するハウジングと、
収集リザーバ内を伸延し、低圧の冷媒を送るための低圧平管と、
収集リザーバ内を伸延し、高圧の冷媒を送るための高圧平管と、
を含み、
低圧平管の幅広の側部と高圧平管の幅広の側部とが、収集リザーバ内で相互に導伝的な熱交換関係にあるようにしたユニット。
【請求項２】
冷却システムにおける一体型のユニットであって、
収集リザーバと、低圧冷媒入口ポートと、低圧冷媒出口ポートと、高圧冷媒入口ポートと、高圧冷媒出口ポートと、を有するハウジングと、
ハウジング内で低圧冷媒出口ポートに結合され、収集リザーバからの低圧冷媒を低圧冷媒出口ポートに送る低圧導管と、
ハウジング内を高圧冷媒入口ポートから高圧冷媒出口ポートに伸延する高圧導管と、
収集リザーバ内で高圧導管及び低圧導管の夫々から伸延され、各々、高圧導管及び低圧導管の両方と導伝的な熱交換関係を有する複数の熱交換フィンと、
を含むユニット。
【請求項３】
低圧導管と高圧導管とが夫々低圧平管及び高圧平管である請求項２のユニット。
【請求項４】
低圧平管と高圧平管とが相互に導伝的な熱交換関係にある請求項３のユニット。
【請求項５】
低圧平管と高圧平管とが、相互に平行に伸延する長手方向軸線を有する請求項３のユニット。
【請求項６】
収集リザーバ内で低圧導管及び高圧導管の両方から横断方向に複数の熱交換フィンが伸延される請求項２のユニット。
【請求項７】
熱交換フィンの各々が、低圧導管及び高圧導管の両方を受けるための少なくとも１つの長孔を有している請求項２のユニット。
【請求項８】
熱交換フィンのアセンブリを低圧導管及び高圧導管の上に配置可能とするべく、各長孔が熱交換フィンの縁部において開放される請求項７のユニット。
【請求項９】
冷却システムにおける一体型のユニットであって、
収集リザーバと、低圧冷媒入口ポートと、低圧冷媒出口ポートと、高圧冷媒入口ポートと、高圧冷媒出口ポートと、を有するハウジングと、
ハウジング内で低圧冷媒出口ポートに結合され、低圧冷媒を収集リザーバから低圧冷媒出口ポートに送る低圧導管と、
ハウジング内で高圧冷媒入口ポートから高圧冷媒出口ポートに伸延する高圧導管と、
を含み、
収集リザーバ内で、高圧導管の第１脚部と、高圧導管の第２脚部との間に少なくとも１つの熱交換フィンが伸延され、該少なくとも１つの熱交換フィンが高圧導管との導伝的な熱交換関係を有するユニット。
【請求項１０】
少なくとも１つの熱交換フィンが蛇行フィンである請求項９のユニット。
【請求項１１】
冷却システムにおける一体型のユニットであって、
収集リザーバと、低圧冷媒入口ポートと、低圧冷媒出口ポートと、高圧冷媒入口ポートと、高圧冷媒出口ポートと、を有するハウジングと、
外側表面及び長手方向軸線を有し、収集リザーバ内を伸延して低圧冷媒出口ポートに結合され、低圧冷媒を収集リザーバから低圧冷媒出口ポートに送る低圧導管と、
外側表面及び長手方向軸線を有し、収集リザーバ内を高圧冷媒入口ポートから高圧冷媒出口ポートに伸延する高圧導管と、
を含み、
収集リザーバ内で前記各長手方向軸線がある長さにおいて相互に平行に伸延し、前記各外側表面が導伝的な熱交換関係にあるようにしたユニット。
【請求項１２】
各外側表面が相互に直接接触される請求項１１のユニット。
【請求項１３】
高圧導管及び低圧導管から夫々横断方向に伸延する複数の熱交換フィンを更に含み、各熱交換フィンが高圧導管及び低圧導管の両方と導伝的な熱交換関係にある請求項１１のユニット。
【請求項１４】
冷媒を圧縮するコンプレッサと、
圧縮した冷媒から熱を除去する熱交換器と、
圧縮した冷媒を膨張させる膨張装置と、
冷媒に熱を移行させるエバポレータと、
収集リザーバと、該収集リザーバ内に伸延し、膨張した冷媒を送る低圧平管と、収集リザーバ内に伸延し、圧縮した冷媒を送る高圧平管と、を含む一体化したサクションライン熱交換器及びサクションラインアキュムレータと、
を含み、
低圧平管の幅広の側部と、高圧平管の幅広の側部とがハウジング内で導伝的な熱交換関係にあるようにした冷却システム。
【請求項１５】
冷媒を圧縮するコンプレッサと、
圧縮した冷媒から熱を除去する熱交換器と、
圧縮した冷媒を膨張させる膨張装置と、
冷媒に熱を移行させるエバポレータと、
収集リザーバと、低圧冷媒入口ポートと、低圧冷媒出口ポートと、高圧冷媒入口ポートと、高圧冷媒出口ポートと、ハウジング内で低圧冷媒出口ポートに結合され、膨張した冷媒を収集リザーバから低圧冷媒出口ポートに送る低圧導管と、ハウジング内で高圧冷媒入口ポートから高圧冷媒出口ポートポートに伸延する高圧導管と、を含む、一体型のサクションライン熱交換器及びサクションラインアキュムレータと、
収集リザーバ内で高圧導管及び低圧導管の夫々から伸延し、高圧導管及び低圧導管の両方と導伝的な熱交換関係にある複数の熱交換フィンと、
を含む冷却システム。
【請求項１６】
冷媒を圧縮するコンプレッサと、
圧縮した冷媒から熱を除去する熱交換器と、
圧縮した冷媒を膨張させる膨張装置と、
冷媒に熱を移行するエバポレータと、
収集リザーバと、低圧冷媒入口ポートと、低圧冷媒出口ポートと、高圧冷媒入口ポートと、高圧冷媒出口ポートと、外側表面及び長手方向軸線を有し、収集リザーバ内で低圧冷媒出口ポートに結合され、膨張した冷媒を収集リザーバから低圧冷媒出口ポートに送る低圧導管と、外側表面及び長手方向軸線を有し、収集リザーバ内を高圧冷媒入口ポートから高圧冷媒出口ポートに伸延する高圧導管と、を含む一体型のサクションライン熱交換器及びサクションラインアキュムレータと、
を含み、
収集リザーバ内で前記各長手方向軸線がある長さに渡り相互に平行に伸延し、前記各外側表面が導伝的な熱交換関係にあるようにした冷却システム。
【発明の詳細な説明】
【技術分野】
【０００１】
本発明は、サクションライン熱交換器及びサクションラインアキュムレータを含む冷却システムに関し、詳しくは、サクションラインアキュムレータのリザーバ内にサクションライン熱交換器を位置決めした一体型のユニットに関する。
【背景技術】
【０００２】
自動車の冷房装置や家庭用冷蔵庫で使用される冷却システムは幾つかの部品から成り立っている。一般に、そうした冷却システムには、コンプレッサ、コンデンサ、エバポレータ、膨張装置、サクションライン熱交換器、液体アキュムレータを含む一連のプロセスユニットが含まれる。冷却システムや冷蔵システム内の空間を保全し、取り付け具のコスト及び必要量を節減し、システムをよりコンパクト化するために、幾つかの用途ではサクションライン熱交換器及び液体アキュムレータのプロセス上の機能が一体化された。
【０００３】
サクションライン熱交換器と液体アキュムレータとを一体化したシステムの例が米国特許第２，４６７，０７８号及び同第２，５３０，６４８号に記載される。これらのシステムでは、直管の周囲にコイル管を巻き付けた管を液体アキュムレータ内に配置し、これら２本の管の間で熱交換を実施する。米国特許第３，１６３，９９８号に示される他の例では、液体アキュムレータから蒸気を抜き出す長い低圧管路を包囲する管に熱交換フィンをびっしりと取り付けて熱交換効果を上げている。米国特許第６，２９８，６８７号では収集ユニット内の配管が同中心化される。これらの一体化ユニットの少なくとも幾つかは意図するところの目的のために充分な性能を発揮し得るものの、改善の余地は尚ある。
【０００４】
【特許文献１】米国特許第２，４６７，０７８号
【特許文献２】米国特許第２，５３０，６４８号
【特許文献３】米国特許第３，１６３，９９８号
【特許文献４】米国特許第６，２９８，６８７号
【発明の開示】
【発明が解決しようとする課題】
【０００５】
冷媒ループを有する冷却システムで使用するための一体化されたユニットであって、高圧冷媒がループの一部を貫いて流動してシステムから熱を排除し、低圧冷媒がループの他の部分を貫いて流動してシステムに熱を吸収させる、冷却システムで使用するための一体化されたユニットを提供することである。
【課題を解決するための手段】
【０００６】
１実施例では、冷媒ループを有する冷却システムで使用するための一体化されたユニットであって、高圧冷媒が冷媒ループの一部を貫いて流動してシステムから熱を排除し、低圧冷媒が冷媒ループの他の部分を貫いて流動してシステムに熱を吸収させる冷却システムで使用するための一体化されたユニットが提供される。このユニットには、冷媒を収集する収集リザーバと、収集リザーバ内に伸延して収集リザーバに低圧冷媒を送る低圧平管と、収集リザーバ内に伸延してこの収集リザーバに高圧冷媒を送る高圧平管とを有するハウジングが含まれる。低圧平管の幅広側と、高圧平管の幅広側とは収集リザーバ内で相互に接近した熱交換関係を有する。
【０００７】
他の実施例では冷却システムの一体型のユニットは、収集リザーバ、低圧冷媒入口ポート、低圧冷媒出口ポート、高圧冷媒入口ポート、そして高圧冷媒出口ポートを有するハウジングと、ハウジング内で低圧冷媒出口ポートに接続されて収集リザーバから低圧冷媒を低圧冷媒出口ポートに送る低圧導管と、ハウジング内を高圧冷媒入口ポートから高圧冷媒出口ポートに伸延する高圧導管と、収集リザーバ内で高圧導管及び低圧導管から伸延し、各々、高圧導管及び低圧導管の両方と接近した熱交換関係を有する複数の熱交換フィンとを含んでいる。
【０００８】
一体型のユニットの更に他の実施例では、低圧導管と高圧導管とが平管とされる。
更に他の実施例では、これらの低圧平管及び高圧平管が相互に接近した熱交換関係とされる。
また更に他の実施例では、低圧平管と高圧平管とが相互に平行に伸延する長手方向軸線を有する。
更に他の実施例では、収集リザーバ内の高圧導管及び低圧導管の両方から横断方向に複数の熱交換フィンが伸延される。
また他の実施例では、一体型のユニットは、低圧導管及び高圧導管の両方を受ける長孔を各熱交換フィンに少なくとも１つ有している。更に他の実施例では各長孔は熱交換フィンの縁部位置で開口され、低圧導管及び高圧導管上への熱交換フィンアセンブリの配置を可能としている。
【０００９】
また他の実施例では一体型のユニットは、収集リザーバ、低圧冷媒入口ポート、低圧冷媒出口ポート、高圧冷媒入口ポート、高圧冷媒出口ポート、を有するハウジングと、ハウジング内で低圧冷媒出口ポートに接続されて低圧冷媒を収集リザーバから低圧冷媒出口ポートに向かわせる低圧導管と、ハウジング内を高圧冷媒入口ポートから高圧冷媒出口ポートへと伸延する高圧導管と、収集リザーバ内で高圧導管の第１脚と第２脚との間を伸延し、高圧導管と導伝熱交換関係とされた少なくとも１つの熱交換フィンとを含んでいる。
【００１０】
他の実施例では一体型のユニットは、収集リザーバ、低圧冷媒入口ポート、低圧冷媒出口ポート、高圧冷媒入口ポート、高圧冷媒出口ポート、を有するハウジングと、収集リザーバ内を伸延して低圧冷媒出口ポートに結合され、外側表面及び長手方向軸線を有し、低圧冷媒を収集リザーバから低圧冷媒出口に向かわせる低圧導管と、収集リザーバ内で高圧冷媒入口ポートから高圧冷媒出口ポートへと伸延し、外側表面及び長手方向軸線を有する高圧導管と、を含んでいる。本実施例では各長手方向軸線は収集リザーバ内である長さに渡り相互に平行に伸延され、各外側表面は接近した熱交換関係に置かれる。
更に他の実施例では各外側表面は相互に直接接触される。
【００１１】
更に他の実施例では一体型のユニットは高圧導管及び低圧導管から各々横断方向に伸延する複数の熱交換フィンを含み、各熱交換フィンは高圧導管及び低圧導管の何れとも接近した熱交換関係に置かれる。
【００１２】
本発明の他の実施例は冷却システムであり、本冷却システムは、冷媒を圧縮するコンプレッサと、圧縮した冷媒を除熱する熱交換器と、圧縮した冷媒を膨張させる膨張装置と、冷媒に伝熱するエバポレータと、一体化した、サクションライン熱交換器及びサクションラインアキュムレータとを含む。一体化した、サクションライン熱交換器及びサクションラインアキュムレータは、収集リザーバと、この収集リザーバ内を伸延し、膨張した冷媒を通す低圧平管と、収集リザーバ内を伸延し、圧縮した冷媒を通す高圧平管と、を含む。低圧平管の幅広側及び高圧平管の幅広側は何れも、ハウジング内で伝導熱交換関係を有する。
【００１３】
更に他の実施例は冷却システムであり、本冷却システムは、冷媒を圧縮するコンプレッサと、圧縮した冷媒を除熱する熱交換器と、圧縮した冷媒を膨張させる膨張装置と、冷媒に伝熱するエバポレータと、一体化した、サクションライン熱交換器及びサクションラインアキュムレータとを含む。一体化した、サクションライン熱交換器及びサクションラインアキュムレータは、収集リザーバと、低圧冷媒入口ポートと、低圧冷媒出口ポートと、高圧冷媒入口ポートと、高圧冷媒出口ポートと、ハウジング内で低圧冷媒出口ポートに結合されて膨張した冷媒を収集リザーバから低圧冷媒出口ポートに向かわせる低圧導管と、収集リザーバ低圧導管ハウジング内を高圧冷媒入口ポートから高圧冷媒出口ポートへと伸延する高圧導管と、収集リザーバ内で高圧導管及び低圧導管から伸延し、これらの高圧導管及び低圧導管と導伝熱交換関係に置かれる複数の熱交換フィンと、を含む。
【００１４】
また更に他の実施例は冷却システムであり、本冷却システムは、冷媒を圧縮するコンプレッサと、圧縮した冷媒を除熱する熱交換器と、圧縮した冷媒を膨張させる膨張装置と、冷媒に伝熱するエバポレータと、一体化した、サクションライン熱交換器及びサクションラインアキュムレータと、を含む。一体化した、サクションライン熱交換器及びサクションラインアキュムレータは、収集リザーバと、低圧冷媒入口ポートと、低圧冷媒出口ポートと、高圧冷媒入口ポートと、高圧冷媒出口ポートと、外側表面及び長手方向軸線を有し、収集リザーバ内で低圧冷媒出口ポートに結合されて膨張した冷媒を収集リザーバから低圧冷媒出口ポートに向かわせる低圧導管と、外側表面及び長手方向軸線を有する高圧冷媒導管と、を含む。高圧導管は収集リザーバ内で高圧冷媒入口ポートから高圧冷媒出口ポートに伸延する。低圧冷媒導管及び高圧冷媒導管の各長手方向軸線はある長さに渡り相互に平行に伸延し、また、各外側表面は接近した熱交換関係に置かれる。
【発明の効果】
【００１５】
冷媒ループを有する冷却システムで使用するための一体化されたユニットであって、高圧冷媒がループの一部を貫いて流動してシステムから熱を排除し、低圧冷媒がループの他の部分を貫いて流動してシステムに熱を吸収させる、冷却システムで使用するための一体化されたユニットが提供されることである。
【発明を実施するための最良の形態】
【００１６】
図１には本発明を具体化した一体型のサクションライン熱交換器及びサクションラインアキュムレータユニット（以下、単にユニットとも称する）１０の実施例が示されている。ユニット１０のハウジング１２が、一端側のキャップ１４と、キャップ１４とは反対の端部側のリザーバキャップ１６とを連結し、ユニット１０内に、低圧冷媒を受け、受けた低圧冷媒を液相と蒸気相とに分離する収集リザーバあるいは収集チャンバ１７を包囲している。低圧導管１８が、ハウジング１２内の低圧冷媒の流れを低圧冷媒入口ポート２２を通して矢印２０の方向に送る。低圧冷媒入口ポート２２は図では管の開放端として例示される。低圧冷媒はキャップ１４内の低圧冷媒出口ポート２５を通して矢印２６で示される方向でユニット１０を出る。キャップ１４は低圧冷媒をチャンバ１７の方向に送る低圧冷媒入口ポート２７も有する。
【００１７】
キャップ１４は、ユニット１０を使用する冷却システムの別のユニットに高圧冷媒入口ポート３２と高圧冷媒出口ポート３４とを流体結合する２つの入口２８、３０を有する。例示される実施例では高圧冷媒入口ポート３２と高圧冷媒出口ポート３４とは、ハウジング１２をループ状に貫く高圧導管３６の開放端である。高圧冷媒は高圧導管３６を通して高圧冷媒入口ポート３２から高圧冷媒出口ポート３４に向けて矢印３８で示す方向に流動する。低圧導管１８及び高圧導管３６内の各冷媒は向流流れ形態下に流動することが好ましい。
【００１８】
低圧導管１８及び高圧導管３６は断面が円形の管であってもよいが、平管であることが好ましい。これらの低圧導管１８及び高圧導管３６はハウジング１２の内部において長手方向軸線４０及び４２を夫々有し、各長手方向軸線は各導管の長さ４４の少なくとも大半に渡り、ハウジング１２の内部を伸延することが好ましい。低圧導管１８は外側表面４６を有し、高圧導管３６は外側表面４８を有し、これらの外側表面４６及び４８は、間部分に伝熱経路を有する状態で相互に向かい合う。低圧導管１８及び高圧導管３６は、前記長さ４４に渡り各外側表面４６及び４８の全領域あるいは実質的に全領域に渡り接触することが好ましい。しかしながら、長さ４４全体に渡り直接的に接触するのは不可能であり、あるいはこれらの低圧導管１８及び高圧導管３６の間に別の伝熱路が存在し得る。更には、好適な熱交換をする上では各外側表面４６及び４８が常に直接接触する必要はない。例えば低圧導管１８及び高圧導管３６を、各外側表面４６及び４８の外側表面間に伝熱材を挟持させ、この伝熱材が導伝熱交換関係に置かれる状態で接近配置することができる。
【００１９】
随意的には、高圧導管３６及び低圧導管１８から複数の熱交換フィン５０を伸延させ、各熱交換フィン５０を高圧導管３６及び低圧導管１８の両方との導伝熱交換関係に置くことができる。熱交換フィン５０には長孔５２を形成し、この長孔５２が、熱交換フィン５０と低圧導管１８及び高圧導管３６とをユニットとして組み立てた場合に熱交換フィン５０を摺動させて高圧導管３６及び低圧導管１８の上に載置することができるようにする開口を形成する。長孔５２の各側部を高圧導管３６及び低圧導管１８の相当する各側部と接触し、ろう接あるいはハンダ付けなどの好適な接着技法を使用してこれらの各側部に接合させることが好ましい。各熱交換フィン５０は、ユニット状態での各熱交換フィン５０を高圧導管３６及び低圧導管１８の上方に案内するための、また、これらの高圧導管３６及び低圧導管１８と熱交換フィン５０との間の伝熱を一層助長するフランジ５６をも有する。ユニット１０は熱交換フィン５０無しの構成のものとすることができる。しかしながら、熱交換フィン５０を含む構成とした場合、各熱交換フィン５０は高圧導管３６内の高圧の冷媒からチャンバ１７内の低圧の冷媒への伝熱を助成する。各熱交換フィン５０は、例えば図１、図２、及び図４に示されるプレートフィン、あるいは図３及び図５に示されるような蛇行フィン５７とすることができる。蛇行フィン５７は、図５に示されるように、高圧導管３６の第１脚部５８と第２脚部５９との間で水平方向に、あるいは図示されないが垂直方向に夫々折り曲げることができる。蛇行フィン５７は図の実施例では一枚のみが示されるが、蛇行フィン５７を一枚以上設けることが望ましい幾つかの用途例が存在する。
【００２０】
図６には、本明細書で説明するユニット１０で用いる、マルチポート型の平管である低圧導管１８と、マルチポート型の平管である高圧導管３６との関係が示されている。二酸化炭素をしばしば冷媒として用いる高圧下のトランスクリティカル的な冷却システムではこうしたマルチポート型の平管である低圧導管１８及び高圧導管３６を使用することが好ましい。なぜなら、これらの平管はそうしたシステムの運転時の高圧に耐えつつ、優れた伝熱性能を提供することができるからである。マルチポート型の平管である低圧導管１８及び高圧導管３６は、同時押し出し成型による単一部品、若しくは、図示されるように導伝熱交換状態下に接近して整列させた別個の部品であり得る。低圧導管１８は列状の流路６０を有するが、単一ポート型のものであっても良い。高圧導管３６は列状の内側流路６２を有するが、低圧導管１８の流路６０は高圧導管３６の内側流路６２よりも断面積が大きいことが好ましい。
【００２１】
低圧導管１８は、高圧導管３６の幅広の外側表面４８と接触する幅広の外側表面４６を有する。随意的な特徴として、低圧導管１８は高圧導管３６の狭幅の側部７２の周囲を部分的に包囲する狭幅の側部７０からなる延長部６８を有する。この延長部６８は、低圧導管１８及び高圧導管３６の位置付けを更に助成するべく、高圧導管３６の相対する狭幅の側部７０に含まれ得る。別法として、同じ目的及び効果を奏するべく、高圧導管３６に類似の延長部を設け、低圧導管１８の狭幅の側部７０の周囲に巻き付けることができる。チャンバ１７の上部に収集するであろう液体冷媒を低圧導管１８内に、この低圧導管１８内を流動する蒸気冷媒により調節下に流入させることができるようにする別の随意的な孔７３を、低圧導管１８の上部で１つ以上の流路６０に開口させることができる。これらの孔７３は、低圧導管１８に設ける場合は各流路６０に設けることが好ましい。
【００２２】
また随意的には、低圧導管１８の底部位置で流路６０に開口する１つ以上の小孔を設け、液体冷媒から油分を分離させ、分離させた油分をチャンバ１７の底部位置に収集させ、次いで流路６０を介してユニット１０を出る低圧の冷媒流れに排流させることができる。更には、チャンバ１７の底部位置にドレンポート８０を設け、分離された油分を好適な導管を介して冷却システムに再導入させることができる。
【００２３】
図７には、一体型のユニット１０を使用することのできる代表的な冷却システム１００の一例が示される。冷却システム１００は、冷媒を圧縮するコンプレッサ１１０と、コンプレッサ１１０を出る冷媒を除熱する、代表的にはコンデンサあるいはガスクーラーである熱交換器１２０と、圧縮された冷媒を膨張させる膨張装置１３０と、膨張された冷媒に熱を移行させるエバポレータ１４０とを有する。
【００２４】
ユニット１０は蒸気相の冷媒から、この蒸気相の冷媒がコンプレッサ１１０に入る以前に液相の冷媒を分離させ、分離された液相の冷媒がユニット１０のチャンバ１７の下方部分に溜まる。高圧導管３６内の高圧の冷媒からの熱がチャンバ１７及び低圧導管１８内の低圧の冷媒に移行され、かくして、低圧の冷媒が低圧導管１８を通してユニット１０から排出される以前におけるユニット１０内の液相の冷媒の気化が助成される。これにより、液相の冷媒のスラグがコンプレッサ１１０に送られ、このスラグによってコンプレッサ１１０が損害を受ける恐れが低下される。更には、ユニット１０に於けるそうした伝熱により、高圧導管３６内の高圧の冷媒が膨張装置１３０に入る以前に冷却されることで冷却システム全体の性能も改善され得る。
【００２５】
以上、本発明を実施例を参照して説明したが、本発明の内で種々の変更をなし得ることを理解されたい。例えば、ハウジング１２及びキャップ１４やリザーバキャップ１６は実質的に円筒状の３つの部品構成のものであるが、所望であれば、例えば２部材及びあるいは非円筒状のようなその他の構成のものとすることができる。別の実施例では、熱交換フィン５０はプレート状のものが例示されたが、ある用途ではその他の形式のフィンが望ましい場合があり得る。
【図面の簡単な説明】
【００２６】
【図１】図１に示す一体型のサクションライン熱交換器及びサクションラインアキュムレータユニットの１実施例の断面図である。
【図２】図１の一体型のユニットの分解斜視図である。
【図３】他の実施例での本発明の一体型のユニットの分解斜視図である。
【図４】サクションラインアキュムレータを除去したハウジングと共に示す本発明の一体型のユニットの斜視図である。
【図５】サクションラインアキュムレータを除去したハウジングと共に示す本発明の一体型のユニットの斜視図である。
【図６】本発明の１実施例に於ける平管間での接近した熱交換関係を示す斜視図である。
【図７】本発明の一体化されたサクションライン熱交換器及びサクションラインアキュムレータを使用することのできる冷却システムの概略図である。
【符号の説明】
【００２７】
１０  一体型のサクションライン熱交換器及びサクションラインアキュムレータユニット
１２  ハウジング
１４  キャップ
１６  リザーバキャップ
１７  収集リザーバ
１８  低圧導管
２２  低圧冷媒入口ポート
２５  低圧冷媒出口ポート
２７  低圧冷媒入口ポート
２８、３０  入口
３２  高圧冷媒入口ポート
３４  高圧冷媒出口ポート
３６  高圧導管
４０、４２  長手方向軸線
４６、４８  外側表面
５０  熱交換フィン
５２  長孔
５６  フランジ
５７  蛇行フィン
５８  第１脚部
５９  第２脚部
６０  流路
６２  内側流路
６８  延長部
７０、７２  狭幅の側部
８０  ドレンポート
１００  冷却システム
１１０  コンプレッサ
１２０  熱交換器
１３０  膨張装置
１４０  エバポレータ
【図１】
2004156896.tif 000003
【図２】
2004156896.tif 000004
【図３】
2004156896.tif 000005
【図４】
2004156896.tif 000006
【図５】
2004156896.tif 000007
【図６】
2004156896.tif 000008
【図７】
2004156896.tif 000009